(57)【要約】      （修正有）【課題】水道水の漏れやエンジンの調子を診断するための検出精度に優れた聴診具を提供する。【解決手段】聴診具２は、当接体としてのロッド４、増幅器６及び伝達管８からなる。増幅器６は、ロッド４に接続されている。増幅器６は、ロッド４に対して着脱自在である。伝達管８は、増幅器６に接続されている。伝達管８は、増幅器６に対して着脱自在である。ロッド４は、互いに径の異なる複数のパイプを備えている。ロッド４は、伸縮自在である。増幅器６は、内部に振動板を備えている。伝達管８は、主管５２、一対の分岐管５４及び一対の耳当てからなる。増幅器６は、ロッド４から振動を受け取る。この振動は、振動板によって増幅される。伝達管８は、増幅器６から振動を受け取って検査者の耳に伝達する。【選択図】図１
0003169193.tif 000002
【実用新案登録請求の範囲】
【請求項１】
被検査物に当接してこの被検査物からの振動を受け取る当接体と、
上記当接体に接続されており、この当接体からの振動を受け取って増幅する増幅器と、
上記増幅器に接続されており、この増幅器からの振動を受け取って検査者の耳に伝達する伝達管と
を備えた聴診具。
【請求項２】
上記当接体が、伸縮自在なロッドである請求項１に記載の聴診具。
【請求項３】
上記増幅器が、筒体と、この筒体に収容された振動板と、この筒体の先端側に位置しており貫通孔を有する第一キャップと、この筒体の後端側に位置しており貫通孔を有する第二キャップと、ピンとを備えており、
上記ピンが第一キャップの貫通孔を貫通しており、このピンの一端が当接体に接続されており、このピンの他端が振動板に固定されており、
上記第二キャップの貫通孔が伝達管と連通している請求項１又は２に記載の聴診具。
【請求項４】
上記第一キャップの内周面と上記ピンとの間に振動吸収材が介在している請求項３に記載の聴診具。
【請求項５】
上記振動吸収材が、ゴム又は軟質合成樹脂からなる請求項４に記載の聴診具。
【請求項６】
上記第二キャップの内周面が、筒体の後端側に向かってテーパーとなっている請求項３から５のいずれかに記載の聴診具。
【請求項７】
上記伝達管が、端部が上記増幅器に接続された主管と、この主管から分岐する一対の分岐管と、それぞれの分岐管の端部に設けられた耳当てとを備えた請求項１から６のいずれかに記載の聴診具。
【考案の詳細な説明】
【技術分野】
【０００１】
本考案は、水道管の漏水検査、エンジンの調子の診断等に用いられる聴診具に関する。
【背景技術】
【０００２】
地中に埋設された水道管の漏水検査に、聴診棒が用いられている。検査者は、この聴診棒の一端を水道管に当接させ、他端に自らの耳を近づけて、水道管から発生する音を聞く。検査者は、漏水音を聞き取った場合に、「漏水が生じている」と判断する。
【０００３】
自動車のエンジンの整備のとき、検査者は、ドライバーの先端をエンジンに当接させる。検査者は、ドライバーのグリップに自らの耳を近づけて、エンジンから発生する音を聞く。検査者は、異音を聞き取った場合に、「エンジンが不調である」と判断する。ドライバーに代えて、伸縮自在な聴診棒が用いられることがある。この聴診棒が、特開２００５−３００３４３公報に記載されている。
【先行技術文献】
【特許文献】
【０００４】
【特許文献１】特開２００５−３００３４３公報
【考案の概要】
【考案が解決しようとする課題】
【０００５】
従来の聴診棒では、漏水音、異音等の検出精度が十分ではない。本考案の目的は、検出精度に優れた聴診具の提供にある。
【課題を解決するための手段】
【０００６】
本考案に係る聴診具は、
（１）被検査物に当接してこの被検査物からの振動を受け取る当接体、
（２）この当接体に接続されており、この当接体からの振動を受け取って増幅する増幅器
及び
（３）この増幅器に接続されており、この増幅器からの振動を受け取って検査者の耳に伝達する伝達管
を備える。
【０００７】
好ましくは、当接体は、伸縮自在なロッドである。
【０００８】
好ましくは、増幅器は、筒体と、この筒体に収容された振動板と、この筒体の先端側に位置しており貫通孔を有する第一キャップと、この筒体の後端側に位置しており貫通孔を有する第二キャップと、ピンとを備える。このピンは、第一キャップの貫通孔を貫通している。このピンの一端は、当接体に接続されている。このピンの他端は、振動板に固定されている。第二キャップの貫通孔は、伝達管と連通している。
【０００９】
好ましくは、第一キャップの内周面とピンとの間に、振動吸収材が介在する。好ましくは、振動吸収材は、ゴム又は軟質合成樹脂からなる。好ましくは、第二キャップの内周面は、筒体の後端側に向かってテーパーとなっている。
【００１０】
好ましくは、伝達管は、端部が増幅器に接続された主管と、この主管から分岐する一対の分岐管と、それぞれの分岐管の端部に設けられた耳当てとを備える。
【考案の効果】
【００１１】
本考案に係る聴診具では、増幅器によって振動が増幅される。この増幅器は、検査精度の向上に寄与しうる。
【図面の簡単な説明】
【００１２】
【図１】図１は、本考案の一実施形態に係る聴診具が示された分解図である。
【図２】図２は、図１の聴診具の増幅器が示された拡大断面図である。
【図３】図３は、図１の聴診具の伸縮ロッドの一部が示された正面図である。
【考案を実施するための形態】
【００１３】
以下、適宜図面が参照されつつ、好ましい実施形態に基づいて本考案が詳細に説明される。
【００１４】
図１に示された聴診具２は、当接体としてのロッド４、増幅器６及び伝達管８からなる。増幅器６は、ロッド４に接続されている。増幅器６は、ロッド４に対して着脱自在である。伝達管８は、増幅器６に接続されている。伝達管８は、増幅器６に対して着脱自在である。
【００１５】
図２に示されるように、ロッド４は、互いに径の異なる複数のパイプ１０を備えている。これらのパイプ１０は、入れ子式に連結されている。この入れ子式の採用により、ロッド４は伸縮自在となっている。ロッド４が伸張したとき、最も細径のパイプ１０ａが先端側（図２における下側）に位置し、最も太径のパイプ１０ｂが後端側に位置する。先端側から後端側に向かって、径が細い順に、パイプ１０が並んでいる。それぞれのパイプ１０の好ましい材質は、金属である。特に、ステンレススチールが好ましい。
【００１６】
先端のパイプ１０には、接触子１２が固定されている。接触子１２の先端は、半球形状である。接触子１２の先端は、尖鋭的ではない。接触子１２は、パイプ１０よりも軟質な材料からなる。好ましくは、接触子１２は、合成樹脂からなる。
【００１７】
ロッド４の後端には、アダプター１４が固定されている。アダプター１４は、穴１６を有している。この穴１６は、ロッド４の軸方向に延在している。図示は省略されているが、この穴１６の内周面には、雌ネジが螺刻されている。
【００１８】
図３に示されるように、増幅器６は、筒体１８、振動板２０、第一キャップ２２、第二キャップ２４、ピン２６、ナット２８、振動吸収材３０及びアダプター３２を備えてる。
【００１９】
筒体１８は、金属材料からなる。筒体１８の内径は、先端側（図３における下側）及び後端側において、中間部分よりも大きい。先端部分と中間部分との内径の相違により、筒体１８の内周面には第一段差３２が形成されている。後端部分と中間部分との内径の相違により、筒体１８の内周面には第二段差３４が形成されている。
【００２０】
振動板２０は、筒体１８に収容されている。振動板２０は、金属材料からなる。振動板２０は、薄い円盤形状を有する。振動板２０は、増幅器６の軸方向に対して垂直な方向に、延在している。振動板２０の周縁は、第二段差３４の上に位置している。振動板２０の周縁は、第二段差３４と第二キャップ２４とに挟まれている。振動板２０は、筒体１８の内部を前側室３６と後側室３８とに区画している。振動板２０は、その中心に開口４０を有している。
【００２１】
第一キャップ２２は、筒体１８の先端側に位置している。第一キャップ２２は、筒体１８に圧入されている。第一キャップ２２は、第一段差３２にまで至っている。第一キャップ２２は、貫通孔４２を有している。第一キャップ２２は、金属材料からなる。
【００２２】
第二キャップ２４は、筒体１８の後端側に位置している。第二キャップ２４は、筒体１８に圧入されている。第二キャップ２４は、貫通孔４４を有している。第二キャップ２４の内周面（貫通孔４４の一部）は、後端側に向かってテーパーとなっている。第二キャップ２４は、金属材料からなる。
【００２３】
ピン２６は、第一キャップ２２の貫通孔４２を貫通している。ピン２６はさらに、振動板２０を貫通している。ピン２６の先端側の部分は、筒体１８から露出している。ピン２６の後端側の部分は、筒体１８に収容されている。ピン２６の先端の近傍には、雄ネジ４６が螺刻されている。ピン２６の後端の近傍には、雌ネジ４８が螺刻されている。この雌ネジがナット２８に螺入されることにより、ピン２６が振動板２０に固定されている。
【００２４】
第一キャップ２２の貫通孔４２の内周面とピン２６との間には、振動吸収材３０が介在している。振動吸収材３０は、筒状である。振動吸収材３０は、第一キャップ２２及びピン２６よりも軟質な材料からなる。典型的には、振動吸収材３０は、ゴム又は軟質合成樹脂からなる。振動吸収材３０により、第一キャップ２２とピン２６との直接的な接触が阻止されている。
【００２５】
アダプター３２は、第二キャップ２４に圧入されている。アダプター３２は、貫通孔５０を有している。アダプターの貫通孔５０は、第二キャップ２４の貫通孔４４と連通している。
【００２６】
図１に示されるように、伝達管８は、主管５２、一対の分岐管５４及び一対の耳当て５６からなる。それぞれの分岐管５４は、主管５２から分岐している。それぞれの耳当て５６は、分岐管５４の後端側に位置している。
【００２７】
主管５２は、軟質である。主管５２は、例えば軟質合成樹脂からなる。それぞれの分岐管５４は、軟質管５８と硬質管６２とからなる。軟質管５８の材質は、主管５２の材質と同一である。主管５２と一対の軟質管５８とは、一体的に成形されている。硬質管６２は、金属材料からなる。硬質管６２の先端は、軟質管５８の後端に挿入されている。耳当て５６は、合成樹脂からなる。この耳当て５６には、硬質管６２の後端が挿入されている。耳当て５６は、貫通孔６２を有している。この貫通孔６２は、硬質管６２と連通している。
【００２８】
この聴診具２が使用されるときは、ロッド４のアダプター１４にピン２６の先端が螺入される。この螺入により、増幅器６がロッド４に接続される。さらに、増幅器６のアダプター３２が、主管５２の先端に挿入される。この挿入により、伝達管８が増幅器６に接続される。この接続により、第二キャップ２４の貫通孔４４が、アダプターの貫通孔５０を介して伝達管８と連通する。
【００２９】
検査者は、一方の耳当て５６を右耳に入れ、他方の耳当て５６を左耳に入れる。検査者は、ロッド４を伸張又は収縮させ、ロッド４の長さを適度なものに調整する。検査者は、接触子１２を被検査物に当接させる。例えば、水道管の漏水検査のときは、接触子１２が水道管の外周面に当接させられる。前述の通り、接触子１２は尖鋭的ではなく、かつ軟質な材料からなるので、接触子１２が水道管を傷つけることがない。
【００３０】
水道管で振動が発生している場合、ロッド４は、この振動を受け取る。この振動は、ロッド４から増幅器６に伝達される。増幅器６では、ピン２６が振動を受け取る。ピン２６が振動することにより、振動板２０が振動する。振動板２０は薄く、かつ振動板２０の面積はピン２６の断面積よりも大きいので、振動は振動板２０によって増幅される。振動板２０の振動は、後側室３８の空気を振動させる。伝達管８の内部の空気はこの振動を受け取り、さらに検査者の耳に振動を伝達する。検査者は、漏水音の有無を判断する。
【００３１】
前述の通り、第二キャップ２４の内周面はテーパーである。このテーパーは、集音効果を高める。集音効果により、より大きな振動エネルギーが耳に伝達される。
【００３２】
前述の通り、第一キャップ２２とピン２６との間には、振動吸収材３０が介在している。もし振動吸収材３０が存在しない場合、ピン２６の振動は第一キャップ２２、筒体１８及び第二キャップ２４を通じて伝達管８へと伝達される。振動吸収材３０は、この伝達を阻止する。この阻止により、ピン２６の振動が振動板２０のみに伝達される。これにより、耳に伝わるノイズが抑制される。
【００３３】
この聴診具２では、両耳が耳当て５６で塞がれるので、聴診具２を通じて聞き取られる音以外の音が耳に進入することが抑制される。この抑制は、検査の精度を高める。
【００３４】
この聴診具２では、ロッド４、増幅器６及び伝達管８が分離されうる。分離された状態の聴診具２はコンパクトであり、携帯に便利である。
【００３５】
ロッド４が、伸縮不可能なものであってもよい。聴診具２が、ロッド４以外の形状の当接体を備えてもよい。ロッド４以外の形状としては、円盤状が例示される。
【産業上の利用可能性】
【００３６】
以上説明された聴診具は、下水管の検査、止水栓の検査、消火栓の検査、エンジンの検査等に用いられうる。
【符号の説明】
【００３７】
２・・・聴診具
４・・・ロッド
６・・・増幅器
８・・・伝達管
１０・・・パイプ
１２・・・接触子
１８・・・筒体
２０・・・振動板
２２・・・第一キャップ
２４・・・第二キャップ
２６・・・ピン
３０・・・振動吸収材
５２・・・主管
５４・・・分岐管
５６・・・耳当て
【図１】
0003169193.tif 000003
【図２】
0003169193.tif 000004
【図３】
0003169193.tif 000005